(57)【特許請求の範囲】
【請求項１】
基板上に、
複数の画素部と、
前記複数の画素部が配列された画素領域に第１方向に延在された複数の走査線と、
前記複数の走査線の両端にそれぞれ設けられ、前記複数の走査線に走査信号を供給する第１及び第２走査線駆動回路と、
前記基板の第１辺に沿って配列され、前記複数の走査線に対して前記走査信号を供給する順序を第１の順序とするように前記走査線駆動回路を制御するための正転方向制御信号を供給するための正転方向制御信号供給用外部回路接続端子を含む複数の外部回路接続端子と、
前記正転方向制御信号が入力され、第１バッファ回路を介して第１正転方向制御信号を生成すると共に、前記正転方向制御信号の電位を基準電位に対して反転させた第１反転方向制御信号を生成し、前記第１正転方向制御信号と前記第１反転方向制御信号とを前記第１走査線駆動回路に対して出力する第１反転方向制御信号生成回路と、
前記正転方向制御信号が入力され、第２バッファ回路を介して第２正転方向制御信号を生成すると共に、前記正転方向制御信号の電位を基準電位に対して反転させた第２反転方向制御信号を生成し、前記第２正転方向制御信号と前記第２反転方向制御信号とを前記第２走査線駆動回路に対して出力する第２反転方向制御信号生成回路と、
を備え、
前記第１走査線駆動回路と前記第１反転方向制御信号生成回路とは、前記第１辺に隣接する第２辺と前記画素領域との間の領域に配置され、
前記第２走査線駆動回路と前記第２反転方向制御信号生成回路とは、前記第２辺と対向する第３辺と前記画素領域との間の領域に配置され、
前記正転方向制御信号供給用外部回路接続端子から前記第１方向と交差する第２方向に引き回された後に分岐した配線によって前記第１及び第２反転方向制御信号生成回路にそれぞれ前記正転方向制御信号が入力される
ことを特徴とする電気光学装置。
【請求項２】
前記基板と対向配置される対向基板と、
前記基板及び前記対向基板を接着するシール材とを更に備え、
前記第１及び第２反転方向制御信号生成回路は、前記基板上で平面的に見て、前記画素領域と前記シール材が形成されるシール領域との間に形成される領域内に配置される
ことを特徴とする請求項１に記載の電気光学装置。
【請求項３】
前記画素領域の周囲を規定する額縁遮光膜を更に備え、
前記第１及び第２反転方向制御信号生成回路は、前記額縁遮光膜が形成された額縁領域内に配置される
ことを特徴とする請求項１又は２に記載の電気光学装置。
【請求項４】
請求項１から３のいずれか一項に記載の電気光学装置を具備してなる電子機器。
【発明の詳細な説明】
【技術分野】
【０００１】
本発明は、例えば液晶装置等の電気光学装置、及び該電気光学装置を備えた、例えば液晶プロジェクタ等の電子機器の技術分野に関する。
【背景技術】
【０００２】
この種の電気光学装置が、例えば液晶プロジェクタ等に組み込まれる場合などに、光学系の位置関係から例えば上下が反転された画像、上下左右に或いは裏返しとなるように反転された画像等が要求されることがある。例えば、液晶装置をライトバルブとして３枚組み合わせてなる複板式のカラープロジェクタでは、白色光が、光源から出射され、ハーフミラー、ミラー、プリズム等を介して一旦色別に分離された後に各色用のライトバルブで変調され、更にその後に再び一つの光に合成されるまでの間に、ハーフミラー等での反射回数が偶数回となる色の光と、奇数回となる色の光とが存在する。従って、例えばＲＧＢのライトバルブのうちＧのライトバルブなど、いずれかの色の光については画像を反転させる必要性が生じる。更に、複板式、単板式等の別を問わずに、例えば上下が反転された画像を表示することができれば、例えば液晶プロジェクタを、床に普通に設置する床置きタイプとしても、天井に逆さに取り付けて設置する天吊りタイプとしても使用可能となる。
【０００３】
このような反転表示を行なうために、走査線駆動回路の動作方向を切り替え可能にした表示装置等が、本願出願人により、例えば特許文献１に開示されている。特許文献１に開示された技術では、走査線駆動回路を構成するシフトレジスタに双方向動作が可能なもの、即ち双方向シフトレジスタを用い、走査方向を切り替えることで、標準画像表示と反転画像表示とを切り替えるようにしている。
【０００４】
【特許文献１】特開２００４−１３９１１１号公報
【発明の開示】
【発明が解決しようとする課題】
【０００５】
しかしながら、上述した技術では、走査方向を反転させるための制御信号を、標準方向の制御信号とは別に外部回路から供給する必要がある。このため、例えば標準方向の制御信号とは別に、反転方向の制御信号のための外部回路接続端子やこれから延びる専用の配線を設けなければならないという技術的問題点がある。更に、例えば外部回路接続端子から走査線駆動回路までの制御信号の供給のための配線経路が長いために、制御信号が他の回路からのノイズの影響を受けてしまう恐れがあり、標準方向の制御信号と反転方向の制御信号との間で位相、振幅、波形等のズレが生じかねないという技術的問題点もある。
【０００６】
本発明は、例えば上述した問題点に鑑みなされたものであり、走査方向を制御する信号を走査線駆動回路に安定して供給でき、走査線駆動回路における誤動作を防止可能な電気光学装置を提供することを課題とする。
【課題を解決するための手段】
【０００７】
本発明の電気光学装置は、上記課題を解決するために、基板上に、複数の画素部と、前記複数の画素部が配列された画素領域に第１方向に延在された複数の走査線と、前記複数の走査線の両端にそれぞれ設けられ、前記複数の走査線に走査信号を供給する第１及び第２走査線駆動回路と、前記基板の第１辺に沿って配列され、前記複数の走査線に対して前記走査信号を供給する順序を第１の順序とするように前記走査線駆動回路を制御するための正転方向制御信号を供給するための正転方向制御信号供給用外部回路接続端子を含む複数の外部回路接続端子と、前記正転方向制御信号が入力され、第１バッファ回路を介して第１正転方向制御信号を生成すると共に、前記正転方向制御信号の電位を基準電位に対して反転させた第１反転方向制御信号を生成し、前記第１正転方向制御信号と前記第１反転方向制御信号とを前記第１走査線駆動回路に対して出力する第１反転方向制御信号生成回路と、前記正転方向制御信号が入力され、第２バッファ回路を介して第２正転方向制御信号を生成すると共に、前記正転方向制御信号の電位を基準電位に対して反転させた第２反転方向制御信号を生成し、前記第２正転方向制御信号と前記第２反転方向制御信号とを前記第２走査線駆動回路に対して出力する第２反転方向制御信号生成回路と、を備え、前記第１走査線駆動回路と前記第１反転方向制御信号生成回路とは、前記第１辺に隣接する第２辺と前記画素領域との間の領域に配置され、前記第２走査線駆動回路と前記第２反転方向制御信号生成回路とは、前記第２辺と対向する第３辺と前記画素領域との間の領域に配置され、前記正転方向制御信号供給用外部回路接続端子から前記第１方向と交差する第２方向に引き回された後に分岐した配線によって前記第１及び第２反転方向制御信号生成回路にそれぞれ前記正転方向制御信号が入力される。
【０００８】
本発明の電気光学装置によれば、その動作時には、例えばデータ線駆動回路によりデータ線を介して画像信号が画素部に供給されると共に、走査線駆動回路により、走査線が例えば順次選択される。即ち、走査線を介して走査信号が画素部に順次に供給される。そして例えば、このような走査信号の供給に並行して、画素部に対してデータ線を介して画像信号を供給することによって、例えば画素電極及び対向電極間に挟持された、液晶等の電気光学物質を各画素部で駆動することで、アクティブマトリクス駆動が行なわれる。即ち、画素部が配列された画素領域或いは画素アレイ領域（又は、「画像表示領域」とも呼ぶ）において画像表示が行われる。
【０００９】
本発明では特に、基板上に反転方向制御信号生成回路を備える。反転方向制御信号生成回路は、複数の走査線に対する走査信号を供給する順序を第１の順序とするように走査線駆動回路を制御するための正転方向制御信号に基づいて、第１の順序とは反転した第２の順序とするように走査線駆動回路を制御するための反転方向制御信号を生成する。正転方向制御信号は、例えば外部回路から外部回路接続端子を介して供給される。正転方向制御信号は、第１の順序として例えば、画素領域における上から下への方向の順序で走査信号を供給するように走査線駆動回路を制御する信号であり、反転方向制御信号は、反転した第２の順序として、例えば画素領域における下から上への方向の順序で走査信号を供給するように走査線駆動回路を制御する信号である。即ち、走査線駆動回路が、正転方向制御信号に基づいて駆動された場合と反転方向制御信号に基づいて駆動された場合とでは、画素領域に表示される画像は互いに反転することになる。尚、このような画像表示の反転は、電気光学装置をプロジェクタに適用した場合などに特に必要とされる機能である。
【００１０】
更に、反転方向制御信号生成回路は、正転方向制御信号及び反転方向制御信号を走査線駆動回路に供給する。よって、走査線駆動回路は、正転方向制御信号及び反転方向制御信号のいずれかに基づいて走査線に走査信号を、第１の順序で或いは第１の順序とは反転した第２の順序で順番に供給することができる。従って、例えばユーザの選択により画像表示を反転するか否かを選択することができる。
【００１１】
加えて、本発明では特に、基板上に設けられた、即ち基板内蔵型の反転方向制御信号生成回路によって基板上で反転方向制御信号が生成される。よって、外部回路から反転方向制御信号を供給するための外部回路接続端子を設ける必要がない。従って、反転方向制御信号を供給するための外部回路接続端子やこれから延びる専用の配線を設ける必要がない分だけ基板上のスペースを有効に利用することができる、或いは、反転方向制御信号の代わりに他の制御信号等を供給するために外部回路接続端子を用いることができる。更に、正転方向制御信号と反転方向制御信号との間で、他の配線や回路から相互に異なる程度でノイズの影響を受けること等により生じ得る、位相、振幅、波形等のズレを、低減することも可能となる。
【００１２】
以上説明したように、本発明の電気光学装置によれば、走査線駆動回路に正転方向制御信号及び反転制御信号を確実に供給することができ、例えばユーザの選択により画像表示を反転するか否かを選択することができる。
【００２１】
本発明の電気光学装置の他の態様では、前記基板と対向配置される対向基板と、前記基板及び前記対向基板を接着するシール材とを更に備え、前記第１及び第２反転方向制御信号生成回路は、前記基板上で平面的に見て、前記画素領域と前記シール材が形成されるシール領域との間に形成される領域内に配置される。
【００２２】
この態様によれば、基板及び対向基板が、例えば光硬化性樹脂等からなるシール材により接着される。シール材が形成されるシール領域は、画素領域の周囲を囲むように位置し、例えば画素領域の周囲を規定する額縁領域の外縁以遠に位置し且つロの字状（言い換えれば、矩形枠状）を有する。
【００２３】
本態様では特に、第１及び第２反転方向制御信号生成回路は、画素領域とシール領域との間に形成される領域内に配置される。よって、基板及び対向基板が接着された後には、第１及び第２反転方向制御信号生成回路に対する外部からの電気的或いは物理的影響を小さくすることができる。即ち、第１及び第２反転方向制御信号生成回路を保護することができる。
【００２４】
本発明の電気光学装置の他の態様では、前記画素領域の周囲を規定する額縁遮光膜を更に備え、前記第１及び第２反転方向制御信号生成回路は、前記額縁遮光膜が形成された額縁領域内に配置される。
【００２５】
この態様によれば、第１及び第２反転方向制御信号生成回路は、額縁領域内に配置される。額縁領域は、例えば、画素領域が矩形状である場合には、この矩形状の周囲を所定の幅でもって縁取った領域である。従って、例えば額縁領域は、基板上で平面的に見て、ロの字状（言い換えれば、矩形枠状）を有する。よって、画像表示に殆ど或いは実践上全く悪影響を与えることなく第１及び第２反転方向制御信号生成回路を配置することができる。更に、基板サイズを大きくする必要もない。尚、このような額縁領域は、画素領域と周辺領域との間に位置する領域であると捉えてもよいし、周辺領域における画素領域に接する部分として捉えてもよい。いずれにせよ、画素領域の縁が、額縁遮光膜により規定される。
【００２８】
本発明の電子機器は、上記課題を解決するために上述した本発明の電気光学装置を具備してなる。
【００２９】
本発明の電子機器によれば、上述した本発明の電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することが可能である。
【００３０】
本発明の作用及び他の利得は次に説明する実施するための最良の形態から明らかにされよう。
【発明を実施するための最良の形態】
【００３１】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
＜第１実施形態＞
第１実施形態に係る液晶装置について、図１から図５を参照して説明する。
【００３２】
先ず、図１及び図２を参照して、本実施形態に係る液晶装置の全体構成について、説明する。ここに図１は、本実施形態に係る液晶装置の構成を示す平面図であり、図２は、図１のＨ−Ｈ´線での断面図である。
【００３３】
図１及び図２において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域５２ａに設けられた例えば光硬化性樹脂からなるシール材５２により相互に接着されている。図１に示すように、シール領域５２ａは、ＴＦＴアレイ基板１０上で平面的に見て、画像表示領域１０ａの周囲を囲むように位置し、ほぼ矩形枠形状を有している。
【００３４】
図１において、シール材５２が配置されたシール領域５２ａの内側に並行して、画像表示領域１０ａの周囲を規定する遮光性の額縁遮光膜５３が、対向基板２０側に設けられている。額縁遮光膜５３が形成された額縁領域５３ａは、ＴＦＴアレイ基板１０上で平面的に見て、矩形枠形状を有している。
【００３５】
周辺領域のうち、シール材５２が配置されたシール領域５２ａの外側に位置する領域には、データ線駆動回路１０１及び外部回路接続端子１０２がＴＦＴアレイ基板１０の一辺に沿って設けられている。この一辺に沿ったシール領域５２ａよりも内側の額縁領域５３ａに、サンプリング回路７が額縁遮光膜５３に覆われるようにして設けられている。更に、ここでは図示しないが、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５（図３参照）が設けられている。また、走査線駆動回路１０４は、この一辺に隣接する２辺に沿ったシール領域５２ａの内側の額縁領域５３ａに、額縁遮光膜５３に覆われるようにして設けられている。また、後述する反転方向制御信号生成回路８０は、２つの走査線駆動回路１０４の各々に対応して、額縁領域５３ａのうちこの一辺に沿った各々部分に夫々設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３６】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００３７】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成されている。また、液晶層５０は、例えば一種又は数種類のネマティック液晶を混合した液晶からなり、これら一対の配向膜間で、所定の配向状態をとる。
【００３８】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００３９】
次に、図３及び図４を参照して、この液晶装置の主要な構成について説明する。ここに図３は、本実施形態に係る液晶装置の要部の構成を示すブロック図である。図４は、画素部の電気的構成を示すブロック図である。
【００４０】
図３において、本実施形態に係る液晶装置は、そのＴＦＴアレイ基板１０上の画像表示領域１０ａの周辺に位置する周辺領域には、走査線駆動回路１０４、データ線駆動回路１０１、サンプリング回路７等の駆動回路が形成されている。
【００４１】
図３に示すように、走査線駆動回路１０４には、外部回路から外部回路接続端子１０２を介してＹクロック信号ＣＬＹ（及び反転Ｙクロック信号ＣＬＹＢ）、Ｙスタートパルス信号ＤＹが供給される。更に、図４に示すように、走査線駆動回路には、正転方向制御信号ＤＩＲＹ及び反転方向制御信号ＤＩＲＹＢが後述する反転方向制御信号生成回路８０から供給される。後に詳述するように、走査線駆動回路１０４は、これらの信号に基づいて走査信号Ｇ１、・・・、Ｇｍをこの順に或いはこの順とは反転した順に順次生成して出力する。
【００４２】
図３において、データ線駆動回路１０１には、外部回路から外部回路接続端子１０２を介してＸクロック信号ＣＬＸ（及び反転Ｘクロック信号ＣＬＸＢ）、及びＸスタートパルスＤＸが供給される。データ線駆動回路１０１は、ＸスタートパルスＤＸが入力されると、Ｘクロック信号ＣＬＸ（及び反転Ｘクロック信号ＸＣＬＸＢ）に基づくタイミングで、サンプリング信号Ｓ１、・・・、Ｓｎを順次生成して出力する。
【００４３】
サンプリング回路７は、Ｐチャネル型又はＮチャネル型の片チャネル型ＴＦＴ、若しくは相補型のＴＦＴから構成されたサンプリングスイッチ７ｓを複数備えている。
【００４４】
図３において、本実施形態に係る液晶装置には、更に、そのＴＦＴアレイ基板の中央を占める画像表示領域１０ａに、マトリクス状に配列された画素電極９ａを夫々備えた複数の画素部が設けられている。
【００４５】
図４に示すように、複数の画素部には夫々、画素電極９ａと当該画素電極９ａをスイッチング制御するためのＴＦＴ３０とが形成されており、画像信号ＶＳ１、ＶＳ２、…、ＶＳｎが供給されるデータ線６ａが当該ＴＦＴ３０のソースに電気的に接続されている。データ線６ａに書き込む画像信号ＶＳ１、ＶＳ２、…、ＶＳｎは、この順に線順次に供給してもよいし、相隣接する複数のデータ線３同士に対して、グループ毎に供給してもよい。尚、図３に示すように、本実施形態においては、画像信号ＶＳ１、ＶＳ２、…、ＶＳｎは、６相にシリアル−パラレル展開された画像信号ＶＩＤ１〜ＶＩＤ６の夫々に対応して、６本のデータ線６ａの組に対してグループ毎に供給されるよう構成されている。画像信号の相展開数（即ち、シリアル−パラレル展開される画像信号の系列数）に関しては、６相に限られるものでなく、例えば、９相、１２相、２４相など、複数相に展開された画像信号が、その展開数に対応した数を一組としたデータ線６ａの組に対して供給されるよう構成してもよい。
【００４６】
図４において、ＴＦＴ３０のゲートにゲート電極３ａが電気的に接続されており、後に詳述するように走査線駆動回路１０４から所定のタイミングで、走査線１１ａ及びゲート電極３ａにパルス的に走査信号Ｇ１、Ｇ２、…、Ｇｍを、この順に或いはこの順とは反転した順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号ＶＳ１、ＶＳ２、…、ＶＳｎを所定のタイミングで書き込む。
【００４７】
画素電極９ａを介して液晶に書き込まれた所定レベルの画像信号ＶＳ１、ＶＳ２、…、ＶＳｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００４８】
更に、保持された画像信号がリークするのを防ぐために、画素電極９ａと対向電極との間に形成される液晶容量と並列に蓄積容量７０が付加されている。
【００４９】
次に、図１、及び図３から図５を参照して、本実施形態に係る反転方向制御信号生成回路について説明する。ここに図５は、反転方向制御信号生成回路の電気的構成を示す回路図である。
【００５０】
図３及び図４において、本実施形態の液晶装置では特に、ＴＦＴアレイ基板１０上に反転方向制御信号生成回路８０を備えている。反転方向制御信号生成回路８０は、複数の走査線１１ａにおける走査信号Ｇ１、・・・、Ｇｍを供給する順序を第１の順序、例えば画像表示領域１０ａにおける、図３中、上から下への方向の順序とするように走査線駆動回路１０４を制御するための正転方向制御信号ＤＩＲＹに基づいて、第１の順序とは反転した第２の順序、例えば画像表示領域１０ａにおける、図３中、下から上への方向の順序とするように走査線駆動回路１０４を制御するための反転方向制御信号を生成する。走査線駆動回路１０４が、正転方向制御信号ＤＩＲＹに基づいて駆動された場合と反転方向制御信号ＤＩＲＹＢに基づいて駆動された場合とでは、画像表示領域１０ａに表示される画像は互いに反転することになる。尚、このような画像表示の反転機能は、液晶装置をプロジェクタに適用した場合などに特に必要とされる。
【００５１】
更に、図４において、本実施形態では特に、反転方向制御信号生成回路８０は、正転方向制御信号ＤＩＲＹ及び反転方向制御信号ＤＩＲＹＢを走査線駆動回路１０４に供給する。よって、走査線駆動回路１０４は、正転方向制御信号ＤＩＲＹ及び反転方向制御信号ＤＩＲＹＢのいずれかに基づいて走査線１１ａに走査信号Ｇ１、・・・、Ｇｎを、第１の順序で或いは第１の順序とは反転した第２の順序で順番に供給することができる。従って、例えばユーザの選択により画像表示領域１０ａにおける画像表示を反転するか否かを選択することができる。
【００５２】
加えて、図３において、本実施形態では特に、ＴＦＴアレイ基板１０上に設けられた、即ち基板内蔵型の反転方向制御信号生成回路８０によってＴＦＴアレイ基板１０上で反転方向制御信号ＤＩＲＹＢが生成されている。よって、外部回路から反転方向制御信号ＤＩＲＹＢを供給するための外部回路接続端子１０２を設ける必要がない。従って、反転方向制御信号ＤＩＲＹＢを供給するための外部回路接続端子１０２を設ける必要がない分だけＴＦＴアレイ基板１０上のスペースを有効に利用することができる、或いは、反転方向制御信号ＤＩＲＹＢの代わりに他の制御信号等を供給するために外部回路接続端子１０２を用いることができる。
【００５３】
ここで、図５を参照して、反転方向制御信号生成回路８０の具体的構成について説明する。図５に示すように、反転方向制御信号生成回路８０は、複数のインバータ１８０から構成されている。反転方向制御信号生成回路８０に正転方向制御信号ＤＩＲＹが入力されると、バッファー回路としての４つのインバータを介して正転方向制御信号ＤＩＲＹが出力されると共に、反転回路及びバッファー回路としての３つのインバータを介して正転方向制御信号ＤＩＲＹの電位を基準電位に対して反転させた反転方向制御信号ＤＩＲＹＢが出力される。尚、反転方向制御信号生成回路８０の構成は、図５に示した構成に限られるものではなく、例えば、インバータの接続段数を増減させてもよい。このように反転方向制御信号生成回路８０を構成すれば、出力側における正転方向制御信号ＤＩＲＹと反転方向制御信号ＤＩＲＹＢとを、相互に位相、振幅、波形等のズレが殆どないように生成可能となる。言い換えれば、仮に、入力側における正転方向制御信号ＤＩＲＹと、出力側における反転方向制御信号ＤＩＲＹＢとの間で、位相、振幅、波形等のズレが生じているとしても、何ら問題とはならない。
【００５４】
再び図３において、本実施形態では特に、反転方向制御信号生成回路８０は、２つの走査線駆動回路１０４の各々に対応して、額縁領域５３ａ（図１参照）のうち第１辺に沿った各々の部分に、１つずつ設けられている。言い換えれば、ＴＦＴアレイ基板１０上で平面的に見て、２つの走査線駆動回路１０４の各々の上側に位置する領域に１つずつ設けられている。よって、反転方向制御信号生成回路８０が一つだけ設けられた場合と比較して安定した正転方向制御信号ＤＩＲＹ及び反転方向制御信号ＤＩＲＹＢを供給することができる。更に、図３に示すように、反転方向制御信号生成回路８０と対応する走査線駆動回路１０４との間の距離は、正転方向制御信号ＤＩＲＹ及び反転方向制御信号ＤＩＲＹＢに他の回路や配線からのノイズが入らない程度或いは正転方向制御信号ＤＩＲＹ及び反転方向制御信号ＤＩＲＹＢが配線抵抗等によって減衰しない程度に近い。よって、反転方向制御信号生成回路８０によって走査線駆動回路１０４に、より一層安定した正転方向制御信号ＤＩＲＹ及び反転方向制御信号ＤＩＲＹＢを供給することができる。従って、走査線駆動回路１０４における誤差動を防止することができる。加えて、正転方向制御信号ＤＩＲＹ及び反転方向制御信号ＤＩＲＹＢ間で、相互に異なる程度でノイズの影響を受けること等により生じ得る、位相、振幅、波形等のズレを、低減することも可能となる。即ち、正転方向制御信号ＤＩＲＹを用いた際の表示特性と反転方向制御信号ＤＩＲＹＢを用いた際の表示特性とを、反転していることを除き、ほぼ等しくできる。
【００５５】
更に、図３において、本実施形態では特に、反転方向制御信号生成回路８０は、外部回路接続端子１０２から走査線駆動回路１０４に至る配線経路において、外部回路接続端子１０２よりも走査線駆動回路１０４に近い側に配置されている。即ち、反転方向制御信号生成回路８０から見て、外部回路接続端子１０２は、走査線駆動回路１０４よりも離れている。よって、外部回路接続端子１０２から反転方向制御回路８０に至るまでの配線により形成される配線抵抗或いは配線容量は、反転方向制御回路８０が走査線駆動回路１０４よりも外部回路接続端子１０２に近い側に配置された場合に比較して大きい。従って、製造中や製造後において不測の静電気が外部回路接続端子１０２に印加されてしまった場合にも、反転方向制御信号生成回路８０の静電破壊が発生するのを低減或いは防止することができる。
【００５６】
加えて、図３において、反転方向制御信号生成回路８０は、画像表示領域１０ａの周辺に位置する周辺領域における、画像表示領域１０ａに対して外部回路接続端子１０２が配置された領域とは反対側に位置する領域内に配置されている。即ち、反転方向制御信号生成回路８０は、外部回路接続端子１０２が配置された領域よりも引回配線９０等の配線等が少ない領域、言い換えればデッドスペースに配置されている。よって、ＴＦＴアレイ基板１０上の面積を増加させることなく、或いは、他の回路や配線等の設計変更を殆ど行うことなく反転方向制御信号生成回路８０を配置することができる。
【００５７】
図１において、本実施形態では特に、上述したように、反転方向制御信号生成回路８０は、額縁領域５３ａ内に配置されている。よって、画像表示に殆ど或いは実践上全く悪影響を与えることがない。更に、反転方向制御信号生成回路８０を配置するために、ＴＦＴアレイ基板１０のサイズを大きくする必要もない。更に、反転方向制御信号生成回路８０は、画像表示領域１０ａとシール領域５２ａとの間に形成される領域内に配置されている。よって、ＴＦＴアレイ基板１０及び対向基板２０が接着された後には、反転方向制御信号生成回路８０に対する外部からの電気的或いは物理的影響を小さくすることができる。即ち、反転方向制御信号生成回路８０を保護することができる。
【００５８】
次に、図４を参照して、走査線駆動回路の構成について説明する。
【００５９】
図４において、本実施形態では特に、走査線駆動回路１０４は、走査信号Ｇ１、・・・、Ｇｍの供給タイミングを制御する転送信号を各段から順次出力すると共に、該各段の駆動順序が正転方向制御信号ＤＩＲＹ及び反転方向制御信号ＤＩＲＹＢに基づいて反転可能なシフトレジスタ１０４Ａを含んでいる。即ち、走査線駆動回路１０４は、所謂“双方向シフトレジスタ”であるシフトレジスタ１０４Ａを含んでいる。よって、走査線駆動部１０４におけるシフトレジスタ１０４Ａの駆動方向を正転方向制御信号ＤＩＲＹ又は反転方向制御信号ＤＩＲＹＢに基づいて、正転又は反転させることによって、走査信号の供給方向の反転することができる。従って、このように走査線駆動回路１０４に内蔵されたシフトレジスタ１０４Ａの駆動方向を制御することにより、走査方向の制御を比較的簡便に行うことができる。
【００６０】
以上説明したように、本実施形態の液晶装置によれば、走査線駆動回路１０２に方向制御信号ＤＩＲＹ及び反転制御信号ＤＩＲＹＢを確実に供給することができ、例えばユーザの選択により画像表示を反転するか否かを選択することができる。
＜第２実施形態＞
第２実施形態に係る電気光学装置について、図６を参照して説明する。ここに図６は、第２実施形態における図３と同趣旨のブロック図である。尚、図６において、図３に示した第１実施形態に係る構成要素と同様の構成要素に同一の参照符合を付し、それらの説明は適宜省略する。
【００６１】
図６において、本実施形態では特に、反転方向制御信号生成回路８０は、画像表示領域１０ａの第１辺（即ち図６中、左側の辺及び右側の辺）に隣接する第２辺（即ち図６中、上側の辺及び下側の辺）のうち上側の辺における中央寄りに、即ち上側の辺の両端と比べて上側の辺の中央に近い位置に配置されている。よって、画像表示領域１０ａの周辺に位置する周辺領域においてＴＦＴアレイ基板１０の一対の第１辺の各々に沿って配置された、言い換えれば画像表示領域１０ａの左右に配置された２つの走査線駆動回路１０４の各々に対して殆ど或いは好ましくは完全に同じ正転方向制御信号ＤＩＲＹ及び反転方向制御信号ＤＩＲＹＢを供給することができる。従って、２つの走査線駆動回路１０４間の動作の差異を殆ど或いは好ましくは完全に無くすことができ、電気光学装置の誤動作を防止できる。
【００６２】
また、反転方向制御信号生成回路８０を額縁領域５３ａに形成することで、従来は配線を引き回すだけだった領域に回路を効率良く設置できるので、電気光学装置の小型化にも大きな効果がある。
【００６３】
（電子機器）
次に、上述した電気光学装置である液晶装置を各種の電子機器に適用する場合について説明する。
【００６４】
先ず、この液晶装置をライトバルブとして用いたプロジェクタについて説明する。図７は、プロジェクタの構成例を示す平面図である。この図７に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【００６５】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００６６】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【００６７】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【００６８】
次に、液晶装置を、モバイル型のパーソナルコンピュータに適用した例について説明する。図８は、このパーソナルコンピュータの構成を示す斜視図である。図８において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００６９】
更に、液晶装置を、携帯電話に適用した例について説明する。図９は、この携帯電話の構成を示す斜視図である。図９において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００７０】
尚、図７から図９を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００７１】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ等にも適用可能である。
【００７２】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００７３】
【図１】第１実施形態に係る液晶装置の全体構成を示す平面図である。
【図２】図１のＨ−Ｈ´の断面図である。
【図３】第１実施形態に係る液晶装置の要部の構成を示すブロック図である。
【図４】第１実施形態に係る液晶装置の画素部の電気的構成を示すブロック図である。
【図５】第１実施形態に係る液晶装置の反転方向制御信号生成回路の回路図である。
【図６】第２実施形態における図３と同趣旨のブロック図である。
【図７】電気光学装置を適用した電子機器の一例たるプロジェクタの構成を示す平面図である。
【図８】電気光学装置を適用した電子機器の一例たるパーソナルコンピュータの構成を示す斜視図である。
【図９】電気光学装置を適用した電子機器の一例たる携帯電話の構成を示す斜視図である。
【符号の説明】
【００７４】
６ａ…データ線、７…サンプリング回路、９ａ…画素電極、１０…ＴＦＴアレイ基板、１０ａ…画像表示領域、１１ａ…走査線、２０…対向基板、２１…対向電極、２３…遮光膜、５０…液晶層、５２…シール材、５２ａ…シール領域、５３…額縁遮光膜、５３ａ…額縁領域、８０…反転方向制御信号生成回路、１０１…データ線駆動回路、１０２…外部回路接続端子、１０４…走査線駆動回路、ＤＩＲＹ…正転方向制御信号、ＤＩＲＹＢ…反転方向制御信号、Ｇ１、・・・Ｇｍ…走査信号
【図１】
0004793121.tif 000002
【図２】
0004793121.tif 000003
【図３】
0004793121.tif 000004
【図４】
0004793121.tif 000005
【図５】
0004793121.tif 000006
【図６】
0004793121.tif 000007
【図７】
0004793121.tif 000008
【図８】
0004793121.tif 000009
【図９】
0004793121.tif 000010